(57)【要約】      （修正有）【課題】和服を着用する際に、着用者自身で容易に帯を締めることができるとともに、複数の結び方が楽しめる、簡易な構成からなる半幅帯を提供する。【解決手段】胴に巻き付ける胴巻部１１と結び形を形成する装飾結び部１２とを備え、前記装飾結び部１２は前記胴巻部１１とは別体で形成される２つの環状体１２ａ，１２ｂにて構成され、前記装飾結び１２部は前記胴巻部１１によって結ばれ固定して構成される。【選択図】図１
0003180170.tif 000002
【実用新案登録請求の範囲】
【請求項１】
胴に巻き付ける胴巻部と結び形を形成する装飾結び部とを備え、
前記装飾結び部は前記胴巻部とは別体で形成される２つの環状体にて構成されれ、前記装飾結び部は前記胴巻部によって結ばれ固定されてなることを特徴とする半幅帯。
【請求項２】
前記胴巻帯の両端部は、前記結び形を形成する構成部分とされてなることを特徴とする請求項１に記載の半幅帯。
【請求項３】
前記胴巻部と前記装飾結び部とは、同幅に形成されてなることを特徴とする請求項１又は請求項２に記載の半幅帯。
【請求項４】
前記胴巻部は、長さが２ｍ５０ｃｍ乃至２ｍ８０ｃｍであることを特徴とする請求項１乃至請求項３の何れかに記載の半幅帯。
【請求項５】
前記環状体は、夫々長さを異なって形成されてなることを特徴とする請求項１乃至請求項４の何れかに記載の半幅帯。
【請求項６】
前記胴巻部は、両端がテーパ状に形成されてなることを特徴とする請求項１乃至請求項５の何れかに記載の半幅帯。
【請求項７】
請求項１乃至６の何れかに記載の半幅帯であって、
前記胴巻部は胴に巻き付けて結んで形成された結び目のうえに、前記環状体を重ねて略中心で絞って形成された結び形を乗せて前記胴巻部の両端部で結ばれ、余った前記両端部を重ね先を丸めて前記胴巻部の中に入れて形成された前記装飾結び部の台として形成されてなることを特徴とする半幅帯。
【請求項８】
請求項１乃至６の何れかに記載の半幅帯であって、
前記胴巻部は、胴に巻き付けて結んで形成された結び目のうえに前記環状体を略中心で絞って形成された結び形の構成部分を乗せて前記胴巻部の両端部で結ばれ、余った前記両端部を前に垂らして形成された前記結び形を形成する構成部分として形成されてなることを特徴とする半幅帯。
【考案の詳細な説明】
【技術分野】
【０００１】
本考案は、和装用の帯に関するものであり、より詳細には、和服を着用する際に、着用者自身で容易に帯を締めることができるとともに、複数の結び方が楽しめる、簡易な構成からなる半幅帯に関する。
【背景技術】
【０００２】
従来、和装用の帯について、和服を着用する際に着用者自身で容易に帯を締めることができる帯としては、いわゆる二部式帯が存在する。前記二部式帯は、例えば特開平３−８２８０６号公報に記載されるように、略ベルト状に形成した胴巻部を面ファスナなどで身体に止着をし、しかる後に、お太鼓結びの形状として予めに別体として形成されている飾り部をクリップ状の係止具で前記胴部の適宜位置に係着するものであり、帯の着付けにおいて最も困難とされる結び形の形成を不要として、着付けを簡素化するものである。
【０００３】
しかしながら、前記した従来の二部式帯においては、飾り部を胴巻部に係止する際にクリップ状の係止部を使用するため、前記係止部が背中に当たり、痛みや違和感を与えるという問題点を生じていた。
【０００４】
また、前記従来例のものにおいては、着付けの簡素化が重要視された結果、飾り部を形成するときの形状が、例えばお太鼓結びなど本来からある結び方をした状態で予め前記飾り部が形成されているため、前記結び形の形状は一定であり、前記飾り部の形状に対する自由度がなく、この点においても面白みに欠けるものとなっていた。
【先行技術文献】
【特許文献】
【０００５】
【特許文献１】特開平０３−８２８０６号公報  第２頁上段右欄１２行乃至同頁下段左段４行  第１図
【考案の概要】
【考案が解決しようとする課題】
【０００６】
本考案は、かかる事情に鑑みてなされたものであって、その目的とするところは、和服を着用する際に、着用者自身で容易に帯を締めることができるとともに、複数の結び方が楽しめる、簡易な構成からなる半幅帯を提供することにある。
【０００７】
また本考案の他の目的は、胴巻部の長さを、一般的なものより長くすることにより、肥満女性にも文庫結びができる半幅帯を提供することにある。
【課題を解決するための手段】
【０００８】
請求項１に記載の半幅帯は、胴に巻き付ける胴巻部と結び形を形成する装飾結び部とを備え、前記装飾結び部は前記胴巻部とは別体で形成される２つの環状体にて構成され、前記装飾結び部は前記胴巻部によって結ばれ固定されてなることを特徴とする。
【０００９】
請求項１に記載の半幅帯にあっては、胴に巻き付ける胴巻部と結び形を形成する装飾結び部とを備え、前記装飾結び部は前記胴巻部とは別体で形成される２つの環状体にて構成されているので、簡易な構成からなると共に、前記装飾結び部は前記胴巻部によって結ばれ固定されているので、着用者自身で容易に帯を締めることができ、さらに、前記装飾結び部が２つの環状体にて構成されているので、複数の結び方を楽しむことができる。
【００１０】
請求項２に記載の半幅帯は、請求項１に記載の半幅帯において、前記胴巻帯の両端部は、前記結び形を形成する構成部分とされてなることを特徴とする。
【００１１】
請求項２に記載の半幅帯にあっては、胴に巻き付ける胴巻部と結び形を形成する装飾結び部とを備え、前記装飾結び部は前記胴巻部とは別体で形成される２つの環状体にて構成されているので、簡易な構成からなると共に、前記装飾結び部は前記胴巻部によって結ばれ固定されているので、着用者自身で容易に帯を締めることができ、さらに、前記装飾結び部が２つの環状体にて構成されているので、複数の結び方を楽しむことができ、面白みのあるものとなる。
【００１２】
請求項３に記載の半幅帯は、請求項１又は請求項２に記載の半幅帯において、前記胴巻部と前記装飾結び部とは、同幅に形成されてなることを特徴とする。
【００１３】
請求項３に記載の半幅帯にあっては、請求項１又は請求項２に記載の半幅帯において、前記胴巻部と前記装飾結び部とは、同幅に形成されているので、さらに簡単に構成されており、同じ幅の生地で容易に製作できると共に、着付けた状態で統一感のある興趣性を与えることができる。
【００１４】
請求項４に記載の半幅帯は、請求項１乃至請求項３の何れかに記載の半幅帯において、前記胴巻部は、長さが２ｍ５０ｃｍ乃至２ｍ８０ｃｍであることを特徴とする。
【００１５】
請求項４に記載の半幅帯にあっては、前記胴巻部の長さを一般的なものより長くすることによって肥満女性にも文庫結びができる。
【００１６】
請求項５に記載の半幅帯は、請求項１乃至請求項４の何れかに記載の半幅帯において、前記環状体は、夫々長さを異なって形成されてなることを特徴とする。
【００１７】
請求項５に記載の半幅帯にあっては、請求項１乃至請求項４の何れかに記載の半幅帯において、前記環状体は、夫々長さを異なって形成されているので、前記環状体により形成される前記結び形は興趣性のある形状となすことができる。
【００１８】
請求項６に記載の半幅帯は、請求項１乃至請求項５の何れかに記載の半幅帯において、前記胴巻部は、両端がテーパ状に形成されてなることを特徴とする。
【００１９】
請求項６に記載の半幅帯にあっては、請求項１乃至請求項５の何れかに記載の半幅帯において、前記胴巻部は、両端がテーパ状に形成されてるので、これによって結ばれ固定される前記結び形は興趣性のある形状となすことができる。
【００２０】
請求項７に記載の半幅帯は、請求項１乃至６の何れかに記載の半幅帯であって、前記胴巻部は胴に巻き付けて結んで形成された結び目のうえに、前記環状体を重ねて略中心で絞って形成された結び形を乗せて前記胴巻部の両端部で結ばれ、余った前記両端部を重ね先を丸めて前記胴巻部の中に入れて形成された前記装飾結び部の台として形成されてなることを特徴とする。
【００２１】
請求項７に記載の半幅帯にあっては、請求項１乃至６の何れかに記載の半幅帯であって、前記胴巻部は胴に巻き付けて結んで形成された結び目のうえに、前記環状体を重ねて略中心で絞って形成された結び形を乗せて前記胴巻部の両端部で結ばれ、余った前記両端部を重ね先を丸めて前記胴巻部の中に入れて形成された前記装飾結び部の台として形成されているので、いわゆる文庫結びを容易に結ぶことができる。
【００２２】
請求項８に記載の半幅帯は、請求項１乃至６の何れかに記載の半幅帯であって、前記胴巻部は胴に巻き付けて結んで形成された結び目のうえに、前記環状体を略中心で絞って形成された結び形の構成部分を乗せて前記胴巻部の両端部で結ばれ、余った前記両端部を前に垂らして形成された前記結び形を形成する構成部分として形成されてなることを特徴とする。
【００２３】
請求項８に記載の半幅帯にあっては、請求項１乃至６の何れかに記載の半幅帯であって、前記胴巻部は胴に巻き付けて結んで形成された結び目のうえに、前記環状体を略中心で絞って形成された結び形の構成部分を乗せて前記胴巻部の両端部で結ばれ、余った前記両端部を前に垂らして形成された前記結び形を形成する構成部分として形成されているので、いわゆる角出し結びを容易に結ぶことができる。
【考案の効果】
【００２４】
請求項１に記載の半幅帯によれば、胴に巻き付ける胴巻部と結び形を形成する装飾結び部とを備え、前記装飾結び部は前記胴巻部とは別体で形成される２つの環状体にて構成されているので、簡易な構成からなると共に、前記装飾結び部は前記胴巻部によって結ばれ固定されているので、着用者自身で容易に帯を締めることができ、さらに、前記装飾結び部が２つの環状体にて構成されているので、複数の結び方を楽しむことができ、面白みのあるものとなる。
【００２５】
請求項２に記載の半幅帯によれば、胴に巻き付ける胴巻部と結び形を形成する装飾結び部とを備え、前記装飾結び部は前記胴巻部とは別体で形成される２つの環状体にて構成されているので、簡易な構成からなると共に、前記装飾結び部は前記胴巻部によって結ばれ固定されているので、着用者自身で容易に帯を締めることができ、さらに、前記装飾結び部が２つの環状体にて構成されているので、複数の結び方を楽しむことができ、面白みのあるものとなる。
【００２６】
請求項３に記載の半幅帯によれば、請求項１又は請求項２に記載の半幅帯において、前記胴巻部と前記装飾結び部とは、同幅に形成されているので、さらに簡単に構成されており、同じ幅の生地で容易に製作できると共に、着付けた状態で統一感のある興趣性を与えることができる。
【００２７】
請求項４に記載の半幅帯によれば、請求項１乃至請求項３の何れかに記載の半幅帯において、前記胴巻部は、長さが２ｍ５０ｃｍ乃至２ｍ８０ｃｍとしたので、前記胴巻部の長さを一般的なものより長くなるため、肥満女性にも文庫結びができる。
【００２８】
請求項５に記載の半幅帯によれば、請求項１乃至請求項４の何れかに記載の半幅帯において、前記環状体は、夫々長さを異なって形成されているので、前記環状体により形成される前記結び形は興趣性のある形状となすことができる。
【００２９】
請求項６に記載の半幅帯によれば、請求項１乃至請求項５の何れかに記載の半幅帯において、前記胴巻部は、両端がテーパ状に形成されてるので、これによって結ばれ固定される前記結び形は興趣性のある形状となすことができる。
【００３０】
請求項７に記載の半幅帯によれば、請求項１乃至６の何れかに記載の半幅帯であって、前記胴巻部は胴に巻き付けて結んで形成された結び目のうえに、前記環状体を重ねて略中心で絞って形成された結び形を乗せて前記胴巻部の両端部で結ばれ、余った前記両端部を重ね先を丸めて前記胴巻部の中に入れて形成された前記装飾結び部の台として形成されているので、いわゆる文庫結びを容易に結ぶことができる。
【００３１】
請求項８に記載の半幅帯によれば、請求項１乃至６の何れかに記載の半幅帯であって、前記胴巻部は胴に巻き付けて結んで形成された結び目のうえに、前記環状体を略中心で絞って形成された結び形の構成部分を乗せて前記胴巻部の両端部で結ばれ、余った前記両端部を前に垂らして形成された前記結び形を形成する構成部分として形成されているので、いわゆる角出し結びを容易に結ぶことができる。
【図面の簡単な説明】
【００３２】
【図１】本考案に係る半幅帯の斜視図である。
【図２】装飾結び部により形成した結び形の一例を示す概略斜視図である。
【図３】結び形の一例である文庫結びの着用手順を示す概略図である。
【図４】結び形の一例である文庫結びの着用手順を示す概略図である。
【図５】結び形の一例である文庫結びの着用手順を示す概略図である。
【図６】結び形の一例である文庫結びの着用手順を示す概略図である。
【図７】結び形の一例である文庫結びの着用手順を示す概略図である。
【図８】結び形の一例である文庫結びの着用手順を示す概略図である。
【図９】結び形の一例である文庫結びの着用手順を示す概略図である。
【図１０】結び形の他の例である角だし結びの着用手順を示す概略図である。
【図１１】結び形の他の例である角だし結びの着用手順を示す概略図である。
【図１２】結び形の他の例である角だし結びの着用手順を示す概略図である。
【図１３】結び形の他の例である角だし結びの着用手順を示す概略図である。
【図１４】結び形の他の例である角だし結びの着用手順を示す概略図である。
【図１５】結び形の他の例である角だし結びの着用手順を示す概略図である。
【図１６】結び形の他の例である角だし結びの着用手順を示す概略図である。
【考案を実施するための最良の形態】
【００３３】
以下、本考案を実施するための最良の形態を図面に基づいて具体的に説明する。
【００３４】
図１は本考案にかかる半幅帯の斜視図である。図中１０は、本考案に係る半幅帯であり、前記半幅帯１０は、胴に巻き付ける胴巻部１１と、結び形を形成する装飾結び部１２とから構成されている。
【００３５】
前記胴巻部１１は、長さ２ｍ５０ｃｍ〜２ｍ８０ｃｍ程度（胴に２回巻き付けて、さらに後述するように前記装飾結び部１２を結わえて固定できるような長さ）で、幅１５ｃｍ〜１８ｃｍ程度の大きさの絹布等の薄手の生地を２枚合わせして縫い付けて形成している。このとき２枚の生地に、夫々別模様の生地を使用して、リバーシブルにできるよう縫製しており、より興趣性に富むものとしている。また、前記胴巻部１１の両端１１ａ、１１ｂは、テーパ状に形成されている。
【００３６】
前記装飾結び部１２は、前記胴巻部１１と同幅で、長さ５０ｃｍ程度の環状帯体１２ａとそれより短い長さ４０ｃｍ程度の環状帯体１２ｂの２つの長さの相違する環状帯体１２ａ，１２ｂとから構成されている。前記各環状帯体１２ａ，１２ｂは、前記胴巻部１１と同様、絹布等の薄手の生地を２枚合わせして縫い付けて形成している。また、前記胴巻部１１と同様に、２枚の生地に、夫々別模様の生地を使用して、リバーシブルにできるよう縫製されており、より興趣性に富むものとしている。
【００３７】
図２は本考案に係る装飾結び部により形成した結び形の例を示す概略斜視図であり、図２（ａ）に示す結び形２０は、いわゆる文庫結びという結びの形であり、前記２つの環状体１２ａ，１２ｂにより形作ったものである。また、図２（ｂ）に示す結び形２２は、いわゆる角出し結びという結びの形の構成部分となるものであり、前記２つの環状体１２ｂにより形作ったものであり、後述する図１５に示すように、前記環状体１２ａとで前記角出し結び２２という結びの形を形成する。
【００３８】
前記結び形２０は、図２（ａ）に示すように、長さの大なる前記環状体１２ａの上に長さの短い前記環状体１２ｂを重ねて、略中心に窪みを作るようにして２つの山をつくり、輪ゴムＧで予め留めておく（なお、必ずしも前記輪ゴムＧで留める必要はなく、手で形作って後述するように、前記胴巻部１１の両端部分で結わえて固定しても良い）。
【００３９】
そして、予め形作られた前記結び形２０を、例えば次に示す着用手順のように前記胴巻部１１に結わえて固定して、着用するのである。
【００４０】
図３乃至図９は、前記結び形の一例である文庫結び２０の着用手順を示す概略図である。
【００４１】
本考案に係る半幅帯１０を使用して、文庫結び風に着用する場合は、先ず、図３に示すように、前記胴巻部１１の左端から５０ｃｍ程度の長さの箇所（手先１３）を外表にして半分におり、折り目を上に返して、体の中心で帯板（図示せず）に洗濯ばさみ等の留め具１５で仮留めする。
【００４２】
次に、図４に示すように、前記手先１３先から上から出るようにして、前記胴巻部１１をひと巻きして緩まないように締める。このとき、左手は留め具の根元を帯板（図示せず）と一緒に持ち、右手は体の脇で前記胴巻部１１を矢印で示す方向（横方向）に引くようにしっかり締める。
【００４３】
次に、図５に示すように、前記洗濯ばさみ等の留め具１５を外して前記手先１３を少し左側にずらしておき、右側にある前記胴巻部１１（垂れ先１４）が体の中心で半分になるように斜め内側に折る。
【００４４】
次に、図６に示すように、前記手先１３を上にして一度しっかりと結び結び目１６をつくる。このとき、前記手先１３と前記垂れ先１４が同じ長さ程度になると形が綺麗に仕上がる。そして結んだ後に、前記手先１３と前記垂れ先１４とを矢印で示すように縦方向に捻る。
【００４５】
そして、図７に示すように、図２に示す前記結び形（文庫結び）２０を予め象った前記装飾結び部１２（１２ａ，１２ｂ）を前記結び目１６の上に乗せて、前記手先１３と前記垂れ先１４とで挟むようにして、上側の前記垂れ先１４を下にくるむように結び飾り結び目１７を作り、固定するのである。
【００４６】
そして、図８（ａ）に示すように、前記手先１３と前記垂れ先１４とを矢印の方向に移動させて重ね合わせて、図８（ｂ）に示すように、重ね合わせた前記手先１３と前記垂れ先１４の先を丸めて、図８（ｃ）に示すように、丸めた前記手先１３と前記垂れ先１４とを前記胴巻部１１の中に入れて前記飾り結び目１７の台にし、図８（ｄ）に示すように、前記結び形（文庫結び）２０の形を整えるのである。
【００４７】
最後に、片手で前記飾り結び目１７を持ち、もう一方の手で前記胴巻部１１を持ち、心持ちお腹を引っ込めて右回りに一気に回して、完成させる。
【００４８】
また、他の結び形の例である角だし結び２２は、図２（ｂ）に示すように、長さの短い前記環状体１２ｂの略中心に窪みを作るようにして２つの山をつくり、輪ゴムＧで予め留めておく（なお、必ずしも前記輪ゴムＧで留める必要はなく、手で形作って後述するように、前記胴巻部１１の両端部分で結わえて固定しても良い）。
【００４９】
そして、予め形作られた前記結び形２２の構成部分である環状体１２ｂを、例えば次に示す着用手順のように前記胴巻部１１に結わえて、さらに前記環状体１２ａを巻き留めて固定し、着用するのである。
【００５０】
図１０乃至図１６は、前記結び形の他の例である角出し結び２２の着用手順を示す概略図である。
【００５１】
本考案に係る半幅帯１０を使用して、角出し結び風に着用する場合は、先ず、図１０に示すように、前記胴巻部１１の左端から５０ｃｍ程度の長さの箇所（手先１３）を外表にして半分におり、折り目を上に返して、体の中心で帯板（図示せず）に洗濯ばさみ等の留め具１５で仮留めする。
【００５２】
次に、図１１に示すように、前記手先１３先から上から出るようにして、前記胴巻部１１をひと巻きして緩まないように締める。このとき、左手は留め具の根元を帯板（図示せず）と一緒に持ち、右手は体の脇で前記胴巻部１１を矢印で示す方向（横方向）に引くようにしっかり締める。
【００５３】
次に、図１２に示すように、前記洗濯ばさみ等の留め具１５を外して前記手先１３を少し左側にずらしておき、右側にある前記胴巻部１１（垂れ先１４）が体の中心で半分になるように斜め内側に折る。
【００５４】
次に、図１３に示すように、前記手先１３を上にして一度しっかりと結び結び目１６をつくる。このとき、前記手先１３と前記垂れ先１４が同じ長さ程度になると形が綺麗に仕上がる。そして結んだ後に、前記手先１３と前記垂れ先１４とを矢印で示すように縦方向に捻る。
【００５５】
そして、図１４に示すように、図２（ｂ）に示す前記結び形（角出し結び）２２の構成部分を予め象った前記環状体１２ｂを前記結び目１６の上に乗せて、前記手先１３と前記垂れ先１４とで挟むようにして、上側の前記垂れ先１４を下にくるむように結び飾り結び目１７を作り、固定するのである。
【００５６】
そして、図１５（ａ）に示すように、前記長いほうの環状体１２ａを前記結び目１７の後ろからくぐらせて、図１５（ｂ）に示すように、被せた前記環状対１２ａの輪の中に帯締めＲを通して押さえるのである。
【００５７】
最後に、片手で前記飾り結び目１７を持ち、もう一方の手で前記胴巻部１１を持ち、心持ちお腹を引っ込めて右回りに一気に回して、完成させる。
【００５８】
以上のように、本考案に係る前記半幅帯１０は、胴に巻き付ける胴巻部１１と結び形（２０，２２）を形成する装飾結び部１２とを備え、前記装飾結び部１２は前記胴巻部１１とは別体で形成される２つの環状体１２ａ，１２ｂにて構成されているので、簡易な構成からなると共に、前記装飾結び部１２（１２ａ，１２ｂ）は前記胴巻部１１によって結ばれ固定されているので、着用者自身で容易に帯を締めることができ、さらに、前記装飾結び部１２が２つの環状体１２ａ，１２ｂにて構成されているので、複数の結び方を楽しむことができ、面白みのあるものとなる。
【００５９】
また、本考案に係る前記半幅帯１０の前記装飾結び部１２は、前記胴巻部１１によって結ばれ固定されているので、着用者自身で容易に帯を締めることができ、さらに、前記装飾結び部１２が２つの環状体１２ａ，１２ｂにて構成されているので、複数の結び方を楽しむことができ、面白みのあるものとなる。
【００６０】
また、本考案に係る前記半幅帯１０の前記胴巻部１１と前記装飾結び部１２とは、同幅に形成されているので、さらに簡単に構成されており、同じ幅の生地で容易に製作できると共に、着付けた状態で統一感のある興趣性を与えることができる。
【００６１】
また、本考案に係る前記半幅帯１０の前記胴巻部１１を長さが２ｍ５０ｃｍ乃至２ｍ８０ｃｍとしているので、前記胴巻部の長さを一般的なものより長くなるため、肥満女性にも文庫結びができる。
【００６２】
また、本考案に係る前記半幅帯１０の前記環状体１２ａ，１２ｂは、夫々長さを異なって形成されているので、前記環状体１２ａ，１２ｂにより形成される前記結び形２０，２２は興趣性のある形状となすことができる。
【００６３】
また、本考案に係る前記半幅帯１０の前記胴巻部の両端１１ａ，１１ｂがテーパ状に形成されてるので、これによって結ばれ固定される前記結び形２０，２２は興趣性のある形状となすことができる。
【００６４】
また、本考案に係る前記半幅帯１０によると、前記胴巻部１１は胴に巻き付けて結んで形成された結び目１６のうえに、前記環状体１２ａ，１２ｂを重ねて略中心で絞って形成された結び形を乗せて前記胴巻部の両端部で結ばれ、余った前記両端部を重ね先を丸めて前記胴巻部１１の中に入れて形成された前記装飾結び部１２の台として形成されているので、いわゆる文庫結びを容易に結ぶことができる。
【００６５】
そして、本考案に係る前記半幅帯１０によると、前記胴巻部１１は胴に巻き付けて結んで形成された結び部１６のうえに、前記環状体１２ｂを略中心で絞って形成された結び形の構成部分を乗せて前記胴巻部１１の両端部で結ばれ、余った前記両端部を前に垂らして形成された前記結び形を形成する構成部分として形成されているので、いわゆる角出し結びを容易に結ぶことができる。
【符号の説明】
【００６６】
１０    半幅帯
１１    胴巻部
１２    装飾結び部
１２ａ  環状体（長い）
１２ｂ  環状体（短い）
１３    手先
１４    垂れ先
１５    留め具
１６    結び目
１７    飾り結び目
２０    結び形（文庫結び）
２２    結び形（角出し結び）
Ｇ      輪ゴム
Ｒ      帯締め
【図１】
0003180170.tif 000003
【図２】
0003180170.tif 000004
【図３】
0003180170.tif 000005
【図４】
0003180170.tif 000006
【図５】
0003180170.tif 000007
【図６】
0003180170.tif 000008
【図７】
0003180170.tif 000009
【図８】
0003180170.tif 000010
【図９】
0003180170.tif 000011
【図１０】
0003180170.tif 000012
【図１１】
0003180170.tif 000013
【図１２】
0003180170.tif 000014
【図１３】
0003180170.tif 000015
【図１４】
0003180170.tif 000016
【図１５】
0003180170.tif 000017
【図１６】
0003180170.tif 000018